(57)【要約】【課題】刈刃の耐久性を向上させることができるとともに、作業効率を高めることができる刈刃保護カバーを提供する。【解決手段】刈払機の操作棹の先端部に取付けられた刈刃の上面に離間して設けられる刈刃保護カバー３である。操作棹の先端部に固着されるカバー本体１と、カバー本体１から刈刃の径方向外側まで櫛歯状に延出される複数の保護突起２と、を有する刈刃保護カバー３であって、各保護突起２の断面は、逆Ｖ字形状である。【選択図】図１
2014171438.tif 000002
【特許請求の範囲】
【請求項１】
刈払機の操作棹の先端部に取付けられた刈刃の上面に離間して設けられる刈刃保護カバーにおいて、
該操作棹の先端部に固着されるカバー本体と、該カバー本体から該刈刃の径方向外側まで櫛歯状に延出される複数の保護突起と、を有する刈刃保護カバーであって、
該各保護突起の断面は、逆Ｖ字形状であることを特徴とする刈刃保護カバー。
【請求項２】
刈払機の操作棹の先端部に取付けられた刈刃の上面に離間して設けられる刈刃保護カバーにおいて、
該操作棹の先端部に固着されるカバー本体と、該カバー本体から該刈刃の径方向外側まで櫛歯状に延出される複数の保護突起と、を有する刈刃保護カバーであって、
該各保護突起の断面は、逆Ｕ字形状であることを特徴とする刈刃保護カバー。
【請求項３】
前記各保護突起は、前記刈刃の回転方向に湾曲する略鎌形状をなすことを特徴とすることを特徴とする請求項１又は２記載の刈刃保護カバー。
【請求項４】
前記各保護突起の先端部には、該先端部から少なくとも前記刈刃の回転方向に膨出する膨大部を有することを特徴とする請求項１乃至３のうちいずれか１項記載の刈刃保護カバー。
【請求項５】
前記各保護突起の先端部は、前記刈刃方向に屈曲する鉤状をなすことを特徴とする請求項１乃至３のうちいずれか１項記載の刈刃保護カバー。
【請求項６】
前記各保護突起の前記刈刃に垂直方向の長さは、１０ｍｍ以上、３０ｍｍ以下であることを特徴とする請求項１乃至５のうちいずれか１項記載の刈刃保護カバー。
【請求項７】
前記カバー本体は、刈り取った草を寄せる草寄せ板が取付け可能であることを特徴とする請求項１乃至６のうちいずれか１項記載の刈刃保護カバー。
【発明の詳細な説明】
【技術分野】
【０００１】
本発明は、刈払機の操作棹の先端部に取付けられる刈刃保護カバーに関する。
【背景技術】
【０００２】
従来、刈払機の操作棹の先端部に取付けられる刈刃保護カバーとして特許文献１に記載されたものが知られている。この刈刃保護カバーは、図９及び図１０に示すように、刈払機の操作棹９０の先端に固着されたギアボックス９１に回転可能に取付けられた刈刃９２の上面に設けられている。そして、刈刃保護カバーは、操作棹９０の先端部に固着されるカバー本体（基盤９３）と、カバー本体（基盤９３）から刈刃９２の径方向外側まで櫛歯状に延出される複数の保護突起（縦型保護板９４、横型保護板９５）とを有している。この刈刃保護カバーでは、保護突起（縦型保護板９４、横型保護板９５）が櫛歯状に設けられているため、その隙間から刈刃９２や周辺を確認しながら作業することができ、石等の硬質物を早期に発見して回避し易い。また、櫛歯状の保護突起（縦型保護板９４、横型保護板９５）の間に草を導入することができるため、作業効率を高めることができる。さらに、刈刃９２が小石等に当った場合、小石等の飛散を抑制することができる。
【先行技術文献】
【特許文献】
【０００３】
【特許文献１】特開２００４−３５７６５５号公報
【発明の概要】
【発明が解決しようとする課題】
【０００４】
しかし、上記特許文献１記載の刈刃保護カバーでは、保護突起（縦型保護板９４、横型保護板９５）が樹脂製やアルミニウム製等である場合、作業中に石等の硬質物に当ると不具合を生じ易い。すなわち、縦型保護板９４の場合は、図９に示すように、縦型保護板９４が刈刃９２の周方向に変形し易く、刈刃９２の刃先の破損を招く虞がある。また、横型保護板９５場合は、図１０に示すように、横型保護板９５が上下方向に変形し易く、この場合においても刈刃９２の刃先の破損を招く虞がある。
【０００５】
これに対し、保護突起を金属製にすることが考えられる。しかし、この場合、刈刃カバーの重量が増して操作性が悪くなるのみならず、作業者が直ぐに疲労してしまう。また、保護突起の肉厚を増して強度を上げることも考えられるが、この場合も同様の結果となる。さらに、保護突起と刈刃との間にリング状の補強板を設けて、保護突起を補強することも考えられる（例えば、特開２００１−７８５３２号公報、図４）。しかし、この場合は、保護突起がわずかに変形することにより、刈刃が補強板と接触して異音を発生する。特に、補強板が金属製である場合は、異音の発生のみならず、刈刃の摩耗、破損、飛散の原因となる。
【０００６】
本発明はかかる従来の問題点に鑑みてなされたものであり、刈刃の耐久性を向上させることができるとともに、作業効率を高めることができる刈刃保護カバーを提供するものである。
【課題を解決するための手段】
【０００７】
上記の課題を解決するために、請求項１に係る刈刃保護カバーの特徴は、刈払機の操作棹の先端部に取付けられた刈刃の上面に離間して設けられる刈刃保護カバーにおいて、該操作棹の先端部に固着されるカバー本体と、該カバー本体から該刈刃の径方向外側まで櫛歯状に延出される複数の保護突起と、を有する刈刃保護カバーであって、該各保護突起の断面は、逆Ｖ字形状であることである。
【０００８】
請求項２に係る刈刃保護カバーの特徴は、刈払機の操作棹の先端部に取付けられた刈刃の上面に離間して設けられる刈刃保護カバーにおいて、該操作棹の先端部に固着されるカバー本体と、該カバー本体から該刈刃の径方向外側まで櫛歯状に延出される複数の保護突起と、を有する刈刃保護カバーであって、該各保護突起の断面は、逆Ｕ字形状であることである。
【０００９】
請求項３に係る刈刃保護カバーの特徴は、前記各保護突起は、前記刈刃の回転方向に湾曲する略鎌形状をなすことを特徴とすることである。
【００１０】
請求項４に係る刈刃保護カバーの特徴は、前記各保護突起の先端部には、該先端部から少なくとも前記刈刃の回転方向に膨出する膨大部を有することである。
【００１１】
請求項５に係る刈刃保護カバーの特徴は、前記各保護突起の先端部は、前記刈刃方向に屈曲する鉤状をなすことである。
【００１２】
請求項６に係る刈刃保護カバーの特徴は、前記各保護突起の前記刈刃に垂直方向の長さは、１０ｍｍ以上、３０ｍｍ以下であることである。
【００１３】
請求項７に係る刈刃保護カバーの特徴は、前記カバー本体は、刈り取った草を寄せる草寄せ板が取付可能であることである。
【発明の効果】
【００１４】
請求項１に係る刈刃保護カバーでは、カバー本体から刈刃の径方向外側まで櫛歯状に延出される複数の保護突起の断面が逆Ｖ字形状であるため強度を増すことができ、作業中に保護突起が石等の硬質物に当った場合であっても容易に変形することはない。そのため、刈刃の刃先の摩耗、破損を抑制することができる。また、保護突起の重量の増加はそれほどでもないため、刈払機の操作性を低下させることはない。さらに、保護突起の隙間から刈刃や周辺を確認しながら作業することができるのみならず、保護突起の間に草を導入することができる。したがって、この刈刃保護カバーによれば、刈刃の耐久性を向上させることができるとともに、作業効率を高めることができる。
【００１５】
請求項２に係る刈刃保護カバーでは、カバー本体から刈刃の径方向外側まで櫛歯状に延出される複数の保護突起の断面が逆Ｕ字形状であるため強度を増すことができ、作業中に保護突起が石等の硬質物に当った場合であっても容易に変形することはない。そのため、刈刃の刃先の摩耗、破損を抑制することができる。また、保護突起の重量の増加はそれほどでもないため、刈払機の操作性を低下させることはない。さらに、保護突起の隙間から刈刃や周辺を確認しながら作業することができるのみならず、保護突起の間に草を導入することができる。したがって、この刈刃保護カバーによっても、刈刃の耐久性を向上させることができるとともに、作業効率を高めることができる。
【００１６】
請求項３に係る刈刃保護カバーでは、各保護突起が刈刃の回転方向に湾曲する略鎌形状をなすため、草を掻き集め易くなり、作業効率をさらに高めることができる。
【００１７】
請求項４に係る刈刃保護カバーでは、各保護突起の先端部には、先端部から、少なくとも刈刃の回転方向に膨出する膨大部を有しているため、保護突起の先端の摩耗を抑制することができるとともに、刈刃の刃先が石等の硬質物に当ることを抑制することができる。
【００１８】
請求項５に係る刈刃保護カバーでは、各保護突起の先端部が刈刃方向に屈曲する鉤状をなすため、保護突起の先端の摩耗を抑制することができるとともに、刈刃の刃先が石等の硬質物に当ることをさらに抑制することができる。これにより、壁際や石垣際の草刈作業をより安心して行うことができる。
【００１９】
請求項６に係る刈刃保護カバーでは、各保護突起の刈刃に垂直方向の長さが１０ｍｍ以上、３０ｍｍ以下であるため、保護突起の剛性を高める効果、及び刈り取った草を寄せ集める効果を特に発揮することができる。すなわち、各保護突起の刈刃に垂直方向の長さが１０ｍｍ未満である場合は上記効果を発揮し難くなり、３０ｍｍより大きい場合は刈刃カバーの重量が増加して操作性が悪くなってしまう。
【００２０】
請求項７に係る刈刃保護カバーでは、刈り取った草を寄せる草寄せ板が取付可能であるため、更に作業効率を高めることができる。すなわち、草寄せ板がない場合は刈り取った草が散らばり易く、これが未だ刈り取っていない草の上に乗ると草刈作業がし難くなる。また、散らばった草を後で集める手間も生じる。しかし、草寄せ板を取付けることにより、刈り取った草を寄せることができるため、これらのことが防止できる上、長丈の草も寄せることができる。
【図面の簡単な説明】
【００２１】
【図１】実施形態の刈刃保護カバーの正面図。
【図２】実施形態の刈刃保護カバーに係り、図１のＩＩ―ＩＩ矢視断面図。
【図３】実施形態の刈刃保護カバーに係り、保護突起の断面図。
【図４】実施形態の刈刃保護カバーに係り、保護突起の断面図。
【図５】実施形態の刈刃保護カバーに係り、保護突起の斜視図。
【図６】実施形態の刈刃保護カバーに係り、取付け前の刈刃保護カバーの斜視図。
【図７】実施形態の刈刃保護カバーの取付け図。
【図８】実施形態の刈刃保護カバーに係り、草寄せ板を取付けた刈刃保護カバーの斜視図。
【図９】従来の刈刃保護カバーに係り、作業中の刈払機の正面図。
【図１０】従来の刈刃保護カバーに係り、作業中の刈払機の斜視図。
【発明を実施するための形態】
【００２２】
本発明に係る刈刃保護カバーを具体化した実施形態を図面に基づいて以下に説明する。なお、図９及び図１０に示す従来の構成と同様の構成については同じ符号を用いるものとする。図１に示すように、この刈刃保護カバー３は、カバー本体１と、カバー本体１から刈刃９２の径方向外側まで櫛歯状に延出される複数の保護突起２とを有している。
【００２３】
カバー本体１には、ギアボックス９１が貫通するギアボックス孔１１が設けられている。また、カバー本体１にはクリップばね孔１２が設けられ、後述するクリップばね３０（図６参照）をクリップばね孔１２に挿入して、刈刃保護カバー３を操作棹９０に固着させることができるようになっている。さらに、カバー本体１には、後述する草寄せ板７（図８参照）を取付けるための差込口１３，１４、及びボルト孔１５が設けられている。また、カバー本体１には、カバー本体１を操作棹９０に固着させるための取付部１６が設けられている。
【００２４】
保護突起２の先端部には円盤状の膨大部５が一体として形成されている。なお、膨大部５としては、先端部から少なくとも刈刃９２の回転方向に膨出するものであればよい。さらに、刈刃９２方向へ膨出すれば、刈刃９２の刃先が石等の硬質物に当ることを更に抑制することができる。また、保護突起２は、刈刃９２の回転方向（図１、反時計回転方向）に湾曲する略鎌形状をなしている。
【００２５】
図２に示すように、この保護突起２の断面は逆Ｖ字形状をなし、高さｈ１（刈刃９２に垂直方向の長さ）は１０ｍｍ以上、３０ｍｍ以下である。なお、図３に示すように、保護突起２１の頂部２１ａのＲ形状が多少大きくなっているものも逆Ｖ字形状に含まれ、保護突起２の代わりに保護突起２１を採用することもできる。この場合の高さｈ２（刈刃９２に垂直方向の長さ）も１０ｍｍ以上、３０ｍｍ以下である。また、図４に示す保護突起２２を保護突起２の代わりに採用してもよい。保護突起２２の断面は逆Ｕ字形状をなし、高さｈ３（刈刃９２に垂直方向の長さ）は１０ｍｍ以上、３０ｍｍ以下である。なお、保護突起２１、２２を採用した場合、膨大部５の形成、及び保護突起２１、２２の略鎌形状についても保護突起２の場合と同様である。
【００２６】
膨大部５が形成された保護突起２の代わりに、図５に示す保護突起２を用いることもできる。この保護突起２の先端には、先端から連続して下方に垂下する垂下部６が形成されている。そして、垂下部６の断面は、保護突起２の断面と同一形状である。これにより、保護突起２の先端部は刈刃９２方向に屈曲する鉤状になっている。なお、保護突起２の代わりに、保護突起２１、２２の断面と同一の形状の垂下部が形成された保護突起２１、２２を採用してもよい。
【００２７】
刈刃保護カバー３は、図６に示すクリップばね３０、取付板３５、ボルト３６を用いて操作棹９０の先端部に取付けられる。クリップばね３０は、両端が開放された円環状の本体部３１と、本体部３１の両端から外側へ延びる２つの保持部３２とを有し、保持部３２の先端３２ａは互いに離反して湾曲するフック状になっている。
【００２８】
以上の構成の刈刃保護カバー３を操作棹９０の先端部に取付けるには、まず、刈刃保護カバー３を刈刃９２の上方の所定の位置に配置する。次に、クリップばね３０をギアボックス９１の円筒部９１ａと刈刃９２との間から挿入する。そして、クリップばね３０の２つの先端３２ａの間に円筒部９１ａを入れ、本体部３１に円筒部９１ａを嵌入する。その後、先端３２ａが互いに近接するように２つの保持部３２を押し、クリップばね孔１２にクリップばね３０の先端３２ａから保持部３２を挿入する。クリップばね孔１２に保持部３２が所定の位置まで挿入されて、刈刃保護カバー３がクリップばね３０により操作棹９０の先端部に取付けられる。最後に、取付部１６と取付板３５とにより操作棹９０を挟み込み、取付部１６と取付板３５とをボルト３６で締め付けて、図７に示すように、刈刃保護カバー３の刈払機への取付が終了する。
【００２９】
また、図８に示すように、刈刃保護カバー３の差込口１３、１４に草寄せ板７の所定の部分を差込み、ボルト３７をボルト孔１５に螺合させて草寄せ板７を締め付けることにより、草寄せ板７を刈刃保護カバー３に取付けることができる。
【００３０】
実施形態の刈刃保護カバー３においては、カバー本体１から刈刃９２の径方向外側まで櫛歯状に延出される複数の保護突起２の断面が逆Ｖ字形状、又は逆Ｕ字形状であるため強度を増すことができ、作業中に保護突起２が石等の硬質物に当った場合であっても容易に変形することはない。そのため、刈刃９２の刃先の摩耗、破損を抑制することができる。また、保護突起２の重量の増加はそれほどでもないため、刈払機の操作性を低下させることはない。さらに、保護突起２の隙間から刈刃９２や周辺を確認しながら作業することができるのみならず、保護突起２の間に草を導入することができる。したがって、この刈刃保護カバー３によれば、刈刃９２の耐久性を向上させることができるとともに、作業効率を高めることができる。
【００３１】
また、この刈刃保護カバー３においては、各保護突起２が刈刃９２の回転方向に湾曲する略鎌形状をなすため、草を掻き集め易くなり、作業効率をさらに高めることができる。さらに、この刈刃保護カバー３においては、各保護突起２の先端部には、その先端部から少なくとも刈刃９２の回転方向に膨出する膨大部５を有しているため、保護突起２の先端の摩耗を抑制することができるとともに、刈刃９２の刃先が石等の硬質物に当ることを抑制することができる。
【００３２】
また、この刈刃保護カバー３においては、各保護突起２の先端部が刈刃９２方向に屈曲する鉤状にすることもでき、これによっても保護突起２の先端の摩耗を抑制することができるとともに、刈刃９２の刃先が石等の硬質物に当ることをさらに抑制することができる。これにより、壁際や石垣際の草刈作業をより安心して行うことができる。
【００３３】
さらに、この刈刃保護カバー３においては、各保護突起２の刈刃９２に垂直方向の長さが１０ｍｍ以上、３０ｍｍ以下であるため、保護突起２の剛性を高める効果、及び刈り取った草を寄せ集める効果を特に発揮することができる。すなわち、各保護突起２の刈刃に垂直方向の長さが１０ｍｍ未満である場合は上記効果を発揮し難くなり、３０ｍｍより大きい場合は刈刃カバー３の重量が増加して操作性が悪くなってしまうからである。
【００３４】
また、この刈刃保護カバー３においては、刈り取った草を寄せる草寄せ板７が取付可能であるため、更に作業効率を高めることができる。すなわち、草寄せ板７がない場合は刈り取った草が散らばり易く、これが未だ刈り取っていない草の上に乗ると草刈作業がし難くなる。また、散らばった草を後で集める手間も生じる。しかし、草寄せ板７を取付けることにより、刈り取った草を寄せることができるため、これらのことが防止できる上、長丈の草も寄せることができる。
【００３５】
以上、本発明の刈刃保護カバーを実施形態に即して説明したが、本発明はこれらに制限されるものではなく、本発明の技術的思想に反しない限り、適宜変更して適用できることはいうまでもない。
【符号の説明】
【００３６】
１…カバー本体、２，２１，２２…保護突起、３…刈刃保護カバー、５…膨大部、６…垂下部、７…草寄せ板、１１…ギアボックス孔、１２…クリップばね孔、１３、１４…差込口、１５…ボルト孔、１６…取付金具、３０…クリップばね、３１…本体部、３２…保持部、３５…取付板、３６，３７…ボルト、９０…操作棹、９１…ギアボックス、９２…刈刃。
【図１】
2014171438.tif 000003
【図２】
2014171438.tif 000004
【図３】
2014171438.tif 000005
【図４】
2014171438.tif 000006
【図５】
2014171438.tif 000007
【図６】
2014171438.tif 000008
【図７】
2014171438.tif 000009
【図８】
2014171438.tif 000010
【図９】
2014171438.tif 000011
【図１０】
2014171438.tif 000012